(57)【要約】【課題】バレーボール、サッカーボール等の比較的大径の球技用中空ボールのマシン投球をおこなう際に、簡単操作で無回転ボール、縦回転ボール、横回転ボール又は斜回転ボールを球種選択して配球可能とすることにより、球技練習の合目的性を向上する。【解決手段】投球装置Ｘが、架台１に回動可能に中空支持して固定設置され、少なくとも設置正背面を開口形成した概略把持枠構造を有する機枠２と、該機枠２内の上下２段に離隔距離を変更調整可能に軸支され、モーター31；41の駆動軸に直結して軸装した回転ドラム32；42からなり、その回転面を対向設置してなる少なくとも１対のローター３；４と、ローター３；４の発停とともに、回転数を各別に可変調整するコントローラー５と、機枠２に可動保持され、ローター３；４間に背面開口部から球技用ボールを導入供給し、かつ、装填するための移動発射枠体６を具備する。【選択図】      図１
2005198740.tif 000002
【特許請求の範囲】
【請求項１】
バレーボール、サッカーボールその他の比較的大径の中空弾球体（以下、球技用中空ボール。）を、ボール直径より小さい距離に離隔して対向設置され正逆反対方向にそれぞれ回転するローター間に導入供給して通過させ、導入供給反対側に打ち出すようにした球技用中空ボールの投球装置において、
架台に回動可能に中空支持して固定設置され、少なくとも設置正背面を開口形成した概略把持枠構造を有する機枠と、
該機枠内の上下２段に離隔距離を変更調整可能に軸支され、モーターの駆動軸に直結して軸装した回転ドラム又は回転ディスクからなり、その回転面を対向設置してなる少なくとも１対のローターと、
前記モーター又はローターの発停とともに、回転数を各別に可変調整するコントローラーと、
前記機枠に可動保持され、前記ローター間に背面開口部から球技用中空ボールを導入供給し、かつ、装填するための移動発射枠体と、
前記移動発射枠体を可変操作することにより、前記ローターの回転面間の上下方向基準線に対して、球技用中空ボールの球芯を合致させ、又は左右いずれかに変位させて前記ローター間を通過させ、かつ、ボール回転の仕方を変更して発射するようにした球種選択機構を具備したことを特徴とする球技用中空ボールの投球装置。
【請求項２】
移動発射枠体が、機枠又はローターの回転面間の上下方向基準線に対して、左右方向に横動可能に保持された概略ダクト構造の枠体であって、左右内壁面にボール供給ガイド手段を形設したものであり、
ボール供給ガイド手段が複数の突条であって、球技用中空ボールの導入供給側から発射投球側へ平行配置され、かつ、該球技用中空ボールの球面を少なくとも３箇所で案内支持するように配設されたものである請求項１記載の球技用中空ボールの投球装置。
【請求項３】
球技用中空ボールがバレーボールであって、コントローラーにより上下段のローターを同一回転数とし、該ローターの回転面間の上下方向基準線に対して、移動発射枠体を介してバレーボールの球芯を合致させて導入供給することにより、無回転ボールを発射するフローターサーブの球種選択機構を具備したサーブマシンとして使用するものである請求項１又は２記載の球技用中空ボールの投球装置。
【請求項４】
球技用中空ボールがバレーボールであって、コントローラーにより上段のローターの回転数を下段より高くし、該ローターの回転面間の上下方向基準線に対して、移動発射枠体を介してバレーボールの球芯を合致させて導入供給することにより、縦回転ボールを発射するドライブサーブの球種選択機構を具備したサーブマシンとして使用するものである請求項１又は２記載の球技用中空ボールの投球装置。
【請求項５】
球技用中空ボールがバレーボールであって、コントローラーにより上下段のローターを同一回転数とし、該ローターの回転面間の上下方向基準線に対して、移動発射枠体を介してバレーボールの球芯を左右いずれかに変位させて導入供給することにより、横回転ボールを発射するスライダーサーブの球種選択機構を具備したサーブマシンとして使用するものである請求項１又は２記載の球技用中空ボールの投球装置。
【請求項６】
球技用中空ボールがバレーボールあって、コントローラーにより上段のローターの回転数を下段より高くし、該ローターの回転面間の上下方向基準線に対して、移動発射枠体を介してバレーボールの球芯を左右いずれかに変位させて導入供給することにより、斜回転ボールを発射するドロップサーブの球種選択機構を具備したサーブマシンとして使用するものである請求項１又は２記載の球技用中空ボールの投球装置。
【発明の詳細な説明】
【技術分野】
【０００１】
本発明は、バレーボール、サッカーボールその他の比較的大径の中空弾球体（以下、球技用中空ボール。）を、ボール直径より小さい距離に離隔して対向設置され正逆反対方向にそれぞれ回転するローター間に導入供給（装填）して導入供給反対側に打ち出すようにした球技用中空ボールの投球装置に係り、詳しくは、無回転ボール、縦回転ボール、横回転ボール又は斜回転ボールを発射可能な球種選択機構を具備した球技用中空ボールの投球装置に関する。
【背景技術】
【０００２】
従来より、ピッチングマシンとして知られるように、野球ボール等の比較的小径の球技用ボール（中実又は中空）を上下１対のローター間に導入供給（装填）して導入供給反対側に高速で打ち出す（弾き出す）ようにした投球装置があった。
【０００３】
この種の投球装置では、当初から上下のローターの回転数（回転速度）を違えて回転させることにより変化球を投球可能としていたが、その後、ボールに横回転を付与して球種を拡大しようとするものがあった。（特許文献１、２及び３を参照。）
【特許文献１】特開昭６２−１５５８７７号公報
【特許文献２】特開平１１−１９２６９号公報
【特許文献３】特開平１１−１２８４３２号公報  一方、本発明に関し構成が相違するが、サッカーボール等の比較的大径の球技用中空ボールを、玉突き式の打ち出し装置によりフライやバウンドの状態で目的に位置まで飛ばして使用する練習装置があった。（特許文献４を参照。）
【特許文献４】特開平７−３０３７２２号公報
【発明の開示】
【発明が解決しようとする課題】
【０００４】
しかしながら、ローター間を通過させて投球する従来技術では、バレーボール、サッカーボール等の比較的大径の球技用中空ボールを扱い、選択的に球種を変更可能とする具体的な装置構成とともに、サーブマシンやキックマシンとしての合目的的な投球装置を開示するまでには至っていない。
【０００５】
ここで、解決しようとする問題点は、合目的性の向上又は改善であって、バレーボール、サッカーボール等の比較的大径の球技用中空ボールを扱うサーブマシンやキックマシンとして当該球技の練習に使用できる点、及び選択的に球種変更が可能な投球装置を構成する点にある。しかも、装置構成はコンパクトで操作性に優れたものであることが望まれる。
【０００６】
本発明はこのような事情に鑑みなされたものであって、上記課題を解消し、コンパクトな装置構成で、バレーボール、サッカーボール等の比較的大径の球技用中空ボールを扱い、簡単操作で無回転ボール、縦回転ボール、横回転ボール又は斜回転ボールを発射可能な球種選択機構を具備した球技用中空ボールの投球装置を提供するものである。
【課題を解決するための手段】
【０００７】
課題を解決するために本発明は、バレーボール、サッカーボールその他の比較的大径の球技用中空ボールを、ボール直径より小さい距離に離隔して対向設置され正逆反対方向にそれぞれ回転するローター間に導入供給して通過させ、導入供給反対側に打ち出すようにした球技用中空ボールの投球装置の改善であって、
架台に回動可能に中空支持して固定設置され、少なくとも設置正背面を開口形成した概略把持枠構造を有する機枠と、
該機枠内の上下２段に離隔距離を変更調整可能に軸支され、モーターの駆動軸に直結して軸装した回転ドラム又は回転ディスクからなり、その回転面を対向設置してなる少なくとも１対のローターと、
前記モーター又はローターの発停とともに、その回転数を各別に可変調整するコントローラーと、
前記機枠に可動保持され、前記ローター間に背面開口部から球技用中空ボールを導入供給し、かつ、装填するための移動発射枠体と、
前記移動発射枠体を可変操作することにより、前記ローターの回転面間の上下方向基準線に対して、球技用中空ボールの球芯を合致させ、又は左右いずれかに変位させて前記ローター間を通過させ、かつ、ボール回転の仕方を変更して発射するようにした球種選択機構を具備したことを特徴とするものである。
【０００８】
ここで、移動発射枠体が、機枠又はローターの回転面間の上下方向基準線に対して、左右方向に横動可能に保持された概略ダクト構造の枠体であって、左右内壁面にボール供給ガイド手段を形設したものであり、
ボール供給ガイド手段が複数の突条であって、球技用中空ボールの導入供給側から発射投球側へ平行配置され、かつ、該球技用中空ボールの球面を少なくとも３箇所で案内支持するように配設されたものである。
【発明の効果】
【０００９】
本発明の投球装置は、バレーボール、サッカーボール等の比較的大径の球技用中空ボールを扱うものでありながら、コンパクトな装置構成で操作性を向上しており、球種選択可能なサーブマシンやキックマシンとして当該球技の練習において合目的的に使用できる。しかも、可搬性があり、練習設備に種々の道具類とともに収納できる。
【発明を実施するための最良の形態】
【００１０】
本発明の実施の最良形態について添付図面を参照して以下説明する。
【００１１】
図１にバレーボール球技の練習に使用するサーブマシンを構成した投球装置の正面視構成説明図、図２に左側面視構成説明図、及び図３に右側面視構成説明図を示す。
【００１２】
図示するように、最良形態の投球装置Ｘはバレーボール球技の練習においてサーブマシンとして使用するものであり、その装置構成は、架台１と、機枠２と、１対のローター３；４（モーター31；41及び回転ドラム32；42）と、コントローラー５と、移動発射枠体６（ボール供給ガイド手段61を含む）からなる。
【００１３】
架台１は、設置面に立脚し機枠２を回動可能に中空支持している。機枠２の回動固定（角度変更固定）は、回動軸（に介装したハンドルサポート11）に取着したハンドルシャフト12によりおこなう。
【００１４】
機枠２は、少なくとも設置正背面（ボール導入供給側及び発射投球側）を開口形成した概略把持枠構造とされ、上下２段に離隔して１対のローター３；４を軸支し、離隔部に移動発射枠体６を可動保持している。ローター３；４はそれぞれカバー21；22で覆われている。
【００１５】
１対のローター３；４は、モーター31；41の駆動軸に直結して軸装した回転ドラム32；42からなり、その回転面を対向して機枠２内の上下２段に離隔距離を変更調整可能に軸支されている。
【００１６】
なお、ローター３；４の構成要素として回転ドラムと回転ディスクを択一的に併記したのは、汎用的な使用、すなわち比較的小径の球技用中空ボールを扱う場合には、回転ディスクを用いることを考慮したからである。
【００１７】
コントローラー５は、ローター３；４（直接的にはモーター31；41）の発停とともに、その回転数を各別に可変調整するもので、図ではダイヤル51；52のボリューム変更により調整をおこなうものを示している。図中の符号53は電源スイッチである。
【００１８】
移動発射枠体６は、機枠２又はローター３；４の回転面間の上下方向基準線Ａに対して、左右方向に横動可能に保持された概略ダクト構造の枠体であって、左右内壁面にボール供給ガイド手段61を形設したものであり、球技用中空ボールＢ（以下、バレーボール。）を背面開口部からローター３；４間に導入供給し装填する。図中の符号62は横動を補助するための移動操作用把手である。
【００１９】
ボール供給ガイド手段61は、好ましくは複数の突条(61)であって、バレーボールＢの導入供給側から発射投球側へ平行配置され、かつ、該バレーボールＢの球面を少なくとも３箇所で案内支持するように配設されている。
【００２０】
そして、図４及び図５に移動発射枠体６の可変操作態様（センターポジション及びスライドポジション）である（ａ）背面視構成説明図（ボール導入供給面図）及び（ｂ）対応平面視構成説明図をそれぞれ示すように、移動発射枠体６を可変操作することにより、上下ローター３；４の回転面間の上下方向基準線Ａに対して、バレーボールＢの球芯Ｃを合致させ、又は左右いずれかに変位させてローター３；４間を通過させ、かつ、ボール回転の仕方を変更して発射するようにしている。〔球種選択機構〕
【００２１】
なお、移動発射枠体６の導入供給側に、ボール補給装置〔図示省略〕を連設することにより、装填するバレーボールＢを間欠的に連続供給するように構成することができるのはもちろんである。
【００２２】
図６はサーブの球種を示す模式説明図（ａ〜ｄ）である。
【００２３】
以下、具体的な球種選択機構について説明する。
【００２４】
図７は、球種選択機構に関するセンターポジションでのボール回転（無回転及び縦回転）の付与方法を示す投球模式説明図である。
【００２５】
第１の球種選択機構は、請求項３記載の発明から把握されるとおり、フローターサーブを投球するための仕組みであり、コントローラー４により上下段のローター３；４を同一回転数とし、該ローター３；４の回転面間の上下方向基準線Ａに対して、移動発射枠体６を介してバレーボールＢの球芯Ｃを合致させて導入供給することにより、無回転ボールを発射するようにしたものである。
【００２６】
第２の球種選択機構は、請求項４記載の発明から把握されるとおり、ドライブサーブを投球するための仕組みであり、コントローラー５により上段のローター３の回転数を下段のローター４より高くし、該ローター３；４の回転面間の上下方向基準線Ａに対して、移動発射枠体６を介してバレーボールＢの球芯Ｃを合致させて導入供給することにより、縦回転ボールを発射するようにしたものである。
【００２７】
図８は、球種選択機構に関するスライドポジションでのボール回転（横回転及び斜回転）の付与方法を示す投球模式説明図である。
【００２８】
第３の球種選択機構は、請求項５記載の発明から把握されるとおり、スライダーサーブを投球するための仕組みであり、コントローラー５により上下段のローター３；４を同一回転数とし、該ローター３；４の回転面間の上下方向基準線Ａに対して、移動発射枠体６を介してバレーボールＢの球芯Ｃを左右いずれかに変位させて導入供給することにより、横回転ボールを発射するようにしたものである。
【００２９】
ここで、スライダー回転の回転方向を逆にすれば、シュート回転のボールを発射できる。なお、図示のサーブマシンＸでは片側（紙面左側）にしか変位させることはできないが、架台１に対して左右勝手違いの機枠２を取り付けるか、移動発射枠体５の正背面を逆転して入れ換えるかすることにより対応することができる。
【００３０】
第４の球種選択機構は、請求項６記載の発明から把握されるとおり、ドロップサーブを投球するための仕組みであり、コントローラー５により上段のローター３の回転数を下段のローター４より高くし、該ローター３；４の回転面間の上下方向基準線Ａに対して、移動発射枠体６を介してバレーボールＢの球芯Ｃを左右いずれかに変位させて導入供給することにより、斜回転ボールを発射するようにしたものである。なお、斜回転ボールの傾斜方向の違いも左右勝手違いの構成により対応すればよい。
【産業上の利用可能性】
【００３１】
本発明は、球技スポーツにおける種々のトレーニング機器と同様に、バレーボール球技の練習に使用するサーブマシンや、サッカー球技の練習に使用するキックマシンとして提供され、実戦的な球種を模擬しながら反復練習をおこなうことができる点で斯界への貢献が期待できる。しかも、量産可能であるから普及性に問題がない。また、設備機器という点でも、装置構成がコンパクトで可搬性があり、種々の道具類とともに練習設備内に収納できるという利便性を有する。
【図面の簡単な説明】
【００３２】
【図１】バレーボール球技の練習に使用するサーブマシンを構成した投球装置の正面視構成説明図である。
【図２】同じく左側面視構成説明図である。
【図３】同じく右側面視構成説明図である。
【図４】移動発射枠体の可変操作態様（センターポジション）を示す（ａ）背面視構成説明図（ボール導入供給面図）及び（ｂ）対応平面視構成説明図である。
【図５】移動発射枠体の可変操作態様（スライドポジション）を示す（ａ）背面視構成説明図（ボール導入供給面図）及び（ｂ）対応平面視構成説明図である。
【図６】サーブの球種を示す模式説明図（ａ〜ｄ）である。
【図７】球種選択機構に関するセンターポジションでのボール回転（無回転及び縦回転）の付与方法を示す投球模式説明図である。
【図８】球種選択機構に関するスライドポジションでのボール回転（横回転及び斜回転）の付与方法を示す投球模式説明図である。
【符号の説明】
【００３３】
１  架台
11  回動軸のハンドルサポート
12  ハンドルシャフト
２  機枠
21  カバー（上）
22  カバー（下）
３  上段ローター
31  モーター
32  回転ドラム（又は回転ディスク）
４  下段ローター
41  モーター
42  回転ドラム（又は回転ディスク）
５  コントローラー
51  ダイヤル
52  ダイヤル
53  電源スイッチ
６  移動発射枠体
61  突条（ボール供給ガイド手段）
62  移動操作用把手
Ａ  上下方向基準線
Ｂ  バレーボール〔球技用中空ボール〕
Ｃ  球芯
Ｘ  サーブマシン〔投球装置〕
【図１】
2005198740.tif 000003
【図２】
2005198740.tif 000004
【図３】
2005198740.tif 000005
【図４】
2005198740.tif 000006
【図５】
2005198740.tif 000007
【図６】
2005198740.tif 000008
【図７】
2005198740.tif 000009
【図８】
2005198740.tif 000010